(57)【要約】【目的】    我が国の住宅事情から、擦弦楽器の音量が大きすぎて近所迷惑番になることが多いので、コンサートでは強音量演奏、減少音量での練習、更に、夜間では、弱音器使用時の弱音量演奏等、同一擦弦楽器の音量を、強音量から弱音量まで、必要に応じて選択できる魂柱の使用位置・使用方法を開発すること。【構成】    前記Ｂ魂柱を廃止した無魂柱の擦弦楽器に、着脱可能な簡易移動方式の前記新位置魂柱（摘み付き魂柱・棒状胴内魂柱）等の着脱使用により、無魂柱状態の減少音量での練習、更に、夜間では、弱音器使用時の弱音量演奏、前記新位置魂柱（摘み付き魂柱・棒状胴内魂柱）使用により、簡単に強音量演奏に変化可能な、前記新位置魂柱の使用方法の提案である。【選択図】  図２
2005292752.tif 000002
【特許請求の範囲】
【請求項１】
従来の擦弦楽器の魂柱使用位置をＢ位置とした場合、この位置へ設けるＢ魂柱を廃止して、新位置へ、着脱簡易移動方式の魂柱を設け、
前記着脱簡易移動方式魂柱を設置する前記新位置は、該当擦弦楽器の高音弦側ｆ字形音響孔の内側縁全体から小胴側の丸孔縁までの孔縁直近の範囲内であり、この範囲を前記新位置魂柱の使用範囲Ａとし、前記範囲Ａ内から該当擦弦楽器の最善位置を模索するが、代表的使用位置は、駒位置より少し小胴側寄りであり、
着脱簡易移動方式の前記新位置魂柱は、前記Ｂ魂柱と同構造の棒状胴内魂柱のほか、使用時にｆ字形音響孔から胴外へ突出する手動用の摘み部３を魂柱の上部へ設けた摘み付き魂柱の二種類があり、この着脱可能構造の利点を生かして擦弦楽器の音量を増減させる方法として、前記新位置魂柱を単独使用した場合には、
▲１▼  強音演奏では、前記新位置魂柱である前記摘みつき魂柱・前記棒状胴内魂柱のどちらか一方を、前記範囲Ａ内直下の最善位置で使用し、他には、
▲２▼  弱音演奏では、前記新位置魂柱を取り外した無魂柱状態での音量減少演奏、更に、その上に弱音器を使用する弱音演奏、等の使用方があり、
擦弦楽器において、着脱簡易移動方式の前記新位置魂柱を上記のように必要に応じて着脱する使用方法により、魂柱使用強音演奏と、魂柱不使用音量減少演奏・弱音器使用の弱音演奏等を自在に使い分けることを特徴とするものである。
以上の構成から成る、右ｆ字形音響孔の内側縁直下魂柱の使用方法２。
【発明の詳細な説明】
【産業上の利用分野】
【０００１】  本発明は、先案「右ｆ字形音響孔の内側縁直下魂柱の使用方法」注１、とは別の使用方法を下記の通り記載するものであり、
擦弦楽器の前記Ｂ魂柱を廃止して、簡易着脱移動方式の前記新位置魂柱のみ使用し、魂柱使用時強音量と、魂柱不使用時の減少音量・これに弱音器を追加する弱音量等、同一擦弦楽器での音量切り換えを自在に使い分ける前記新位置魂柱の使用方法の説明に関する。
【注１】
【０００２】
【背景技術】
【０００３】  前記Ｂ魂柱は、駒位置より少し大胴側寄りの高音弦側胴内へ設けていた。
【発明が解決しようとする課題】
【０００４】  前記Ｂ魂柱は、胴内深くに設置するため取り外し・移動等に特別な道具が必要で、強音演奏から弱音演奏に切り換える「魂柱取り外し」が困難であった。
【課題を解決するための手段】
【０００５】  前記Ｂ魂柱を廃止して、着脱簡易移動方式（摘み付き魂柱・棒状胴内魂柱）等前記新位置魂柱を使用すれば、強音演奏から弱音演奏に切り換えが容易である。
【作用】
【０００６】  着脱可能な簡易移動方式の前記新位置魂柱（棒状胴内魂柱・摘み付き魂柱）の単独使用方により、使用時は強音量・取り外し後の減少音量・更に、弱音器を使用すれば一層の弱音量等の使い分けを、同一擦弦楽器にて容易に実現できる。
【０００７】  同一試作楽器へ、前記新位置魂柱を駒位置より少し小胴側の前記範囲Ａ内、実験ではＡ３位置で単独使用した場合と、前記Ｂ魂柱のみ使用した場合との音量比較では、前記新位置魂柱の方が「優るとも劣らず」の結果から、ｆ字形音響孔の内側縁の前記範囲Ａ内、即ち、孔縁直近の方が、前記Ｂ魂柱位置の板面より制約が少ないので、一層強く、自由振動する事が原因であろうと推測できる。
【実施例】
【０００８】  本発明の前記新位置魂柱の実施例ついて図面を参照して説明する。【０００９】  前記新位置魂柱（摘み付き魂柱・棒状胴内魂柱）の位置は、前記範囲Ａ内（図１・図２の塗り潰し部分）の孔縁直近位置の裏面直下であり、代表的使用位置はＡ３位置が適当であろうと思う。（図１・図２）【００１０】  前記新位置魂柱の棒状胴内魂柱は、その両切断面（上接点１・下接点２）の角度を、該当擦弦楽器の表板・裏板の傾斜に正確に合わせてから、前記範囲Ａ内直下の最善位置で使用する。（図６）【００１１】  前記摘み付き魂柱は、使用時に胴外へ突出する手動用の摘み部３を魂柱の上部へ設け、この摘み部３には、合成樹脂等によるカラーカバー・高級品では適当大の宝石類等を組み合わせて装飾摘み部３とし、この下部に設ける窪み部下辺を前記範囲Ａ内最善位置の表板裏面へ接触する上接点１とし、裏板に接する魂柱の底辺である前記下接点２とを有し、前記上接点１＝棒状胴内魂柱上辺であり、前記下接点２＝棒状胴内魂柱下辺とする魂柱である。（図３・図４・図５・図６）
【発明の効果】
【００１２】  前記新位置魂柱は、簡易移動方式で着脱可能のため、その単独使用時は強音量になり、取り外し後の減少音量へ、更に、弱音器を使用すれば、一層の弱音量になることから、練習時の弱音演奏から演奏会での強音演奏へ、同一擦弦楽器にて容易に音量を加減する事が可能である。
【００１３】  前記新位置魂柱を図２のＡ３位置へ単独使用した試作楽器▲１▼の実験では、前記Ｂ魂柱のみ使用時より「優るとも劣らず」の結果を得ている。
【図面の簡単な説明】
【図１】擦弦楽器における前記新位置魂柱使用の前記範囲Ａを示す全体説明図である。
【図２】擦弦楽器の右ｆ字形音響孔での前記範囲Ａ内の前記新位置魂柱の使用位置・駒位置等を示す部分拡大説明図である。
【図３】前記摘み付き魂柱の設置方を示す説明図である。
【図４】前記摘み付き魂柱の側面図である。
【図５】摘み部に宝石類を付けた、飾り摘み付きの前記摘み付き魂柱の正面図である。
【図６】前記棒状胴内魂柱の設置方と、その胴内部分を示す拡大断面図である。
【符号の説明】
Ａ………新位置魂柱（棒状胴内魂柱・摘み付き魂柱）の設置範囲
Ｂ………擦弦楽器の従来魂柱設置位置
１………上接点（表板裏面への接触部）
２………下接点（裏板への接触部・魂柱の底辺）
３………摘み部
【注１】
（先案の表示）            平成１４年特許願第２００２−３３４３９７号
（提出日）                平成１４年１０月１４日
（発明の名称）            右ｆ字形音響孔の内側縁直下魂柱の使用方法
（発明者）                松本  吉弘
（内  容）
上記の特許願では、前記新位置魂柱（摘み付き魂柱・棒状胴内魂柱）そのものの構造案であり、着脱簡易移動方式構造のため、前記範囲Ａ内での最善位置を模索して魂柱位置を決定する使用方であり、その使用位置が不確定のため魂柱の長さ調節機能を有し、前記Ｂ魂柱との併用の他、前記新位置魂柱の単独使用方等を説明した特許案である。
本発明の特許願では、従来の前記Ｂ魂柱使用強音量と同様の音量を着脱可能な簡易移動方式の前記新位置魂柱（摘み付き魂柱・棒状胴内魂柱）等の使用により実現し、無魂柱状態の減少音量、更に、弱音器使用の弱音量演奏等、必要に応じてワンタッチにて変化可能な前記新位置魂柱の使用方法の提案である。
【図１】
2005292752.tif 000003
【図２】
2005292752.tif 000004
【図３】
2005292752.tif 000005
【図４】
2005292752.tif 000006
【図５】
2005292752.tif 000007
【図６】
2005292752.tif 000008